(57)【要約】      （修正有）【課題】構造と操作が簡単で、保存容量を最適化することができる空間可変キャビネットを提供する。【解決手段】空間可変システムキャビネットであって、隣接する収容空間４０１の間にパーティション２が設けられ、パーティション２は、隣接する収容空間４０１を独立な空間に分割し、各収容空間４０１には、パーティション２を固定およびロックするパーティションロック部材１が設けられ、制御部材により、隣接する２つ以上の収容空間４０１の扉部材ロック部材５が同時に開かれ、パーティションロック部材１のロックが解除され且つパーティション２を操作すると、隣接する２つ以上の収容空間４０１は連通状態となる。【選択図】図４
0003228672.tif 000002
【実用新案登録請求の範囲】
【請求項１】
空間可変システムキャビネットであって、キャビネット本体（４）と制御部材（７）とを備え、前記キャビネット本体（４）には、物品を収容するための２つの収容空間（４０１）が設けられ、各収容空間（４０１）には、少なくとも１つの扉部材（３）が設けられ、前記扉部材（３）には、扉部材ロック部材（５）が設置され、隣接する前記収容空間（４０１）の間にパーティション（２）が設けられ、前記パーティション（２）によって、隣接する収容空間（４０１）が独立な空間に分割され、各収容空間（４０１）には、パーティション（２）を固定およびロックするためのパーティションロック部材（１）が設けられ、制御部材（７）によって、隣接する２つ以上の収容空間（４０１）の扉部材ロック部材（５）が同時に開かれ、パーティションロック部材（１）のロックが解除され且つパーティション（２）を操作すると、当該隣接する２つ以上の収容空間（４０１）は連通状態となる、ことを特徴とする空間可変システムキャビネット。
【請求項２】
前記収容空間（４０１）の内側壁に、パーティション（２）を掛合するための掛け部材（４０２）が設けられ、隣接する収容空間（４０１）が連通された後、前記パーティション（２）が掛け部材（４０２）に掛合される、ことを特徴とする請求項１に記載の空間可変システムキャビネット。
【請求項３】
前記パーティション（２）は、折り畳み式構造またはローラーカーテン式構造であり、前記パーティション（２）の一端は、収容空間（４０１）の内側壁に固定され、他端は、パーティションロック部材（１）によりロックされ、制御部材（７）により、パーティションロック部材（１）が開いた状態では、隣接する収容空間（４０１）が連通状態となるように、前記パーティション（２）が折り畳まれる、ことを特徴とする請求項１に記載の空間可変システムキャビネット。
【請求項４】
前記パーティション（２）の折り畳みは、駆動部材（８）により駆動される、ことを特徴とする請求項３に記載の空間可変システムキャビネット。
【請求項５】
前記パーティション（２）は、複数のプレートがヒンジにより結合されたヒンジ接続構造であり、前記パーティション（２）の一端は、収容空間（４０１）の内側壁に固定され、他端は、パーティションロック部材（１）によりロックされ、制御部材（７）によって、パーティションロック部材（１）が開いた状態では、ヒンジ点を利用して、隣接する収容空間（４０１）が連通状態となるように、前記パーティション（２）が折り畳まれる、ことを特徴とする請求項１に記載の空間可変システムキャビネット。
【請求項６】
前記扉部材ロック部材（５）は、電磁ロック式または機械ロック式である、ことを特徴とする請求項１〜請求項５のいずれか１つに記載の空間可変システムキャビネット。
【請求項７】
前記扉部材ロック部材（５）は、ロックコアとロックバックルとを備え、前記ロックコアと前記ロックバックルとは、それぞれ、扉部材（３）またはキャビネット本体（４）に対応して取り付けられ、前記ロックコアは、伸縮式構造を採用し、ロックコアは、キャビネット本体（４）または扉部材（３）に取り付けられ、制御部材（７）により、伸縮運動を行い、ロックバックルと協働してロックまたは開放を行う、ことを特徴とする請求項６に記載の空間可変システムキャビネット。
【請求項８】
前記パーティションロック部材（１）は、電磁ロック式、機械ロック式、または手動で連接されるアセンブリ構造である、ことを特徴とする請求項１〜請求項５のいずれか１つに記載の空間可変システムキャビネット。
【請求項９】
隣接する前記収容空間（４０１）は、水平方向に沿って順次設置され、複数のパーティション（２）が垂直方向に沿って設置され、隣接する前記収容空間（４０１）を分割する、または、隣接する前記収容空間（４０１）は、垂直方向に沿って設置され、複数のパーティション（２）が水平方向に沿って設置され、隣接する前記収容空間（４０１）を分割させ、且つ物品の載置板として機能する、ことを特徴とする請求項１〜請求項５のいずれか１つに記載の空間可変システムキャビネット。
【請求項１０】
前記制御部材（７）は、キャビネット本体（４）に直接設けられる、または、前記制御部材（７）は、遠距離制御またはクラウド制御方式を採用して、パーティションロック部材（１）および扉部材ロック部材（５）を制御する、ことを特徴とする請求項１〜請求項５のいずれか１つに記載の空間可変システムキャビネット。
【考案の詳細な説明】
【技術分野】
【０００１】
本考案は、物流、配達および倉庫保管の分野に属し、特に、物流、配達および倉庫保管の分野の空間可変システムキャビネットに関する。
【背景技術】
【０００２】
物流および配達業界の急速な発展に伴い、物品の配送の速度とセキュリティを改善するのは、問題とされている。また、エクスプレスキャビネット（ロジスティクスキャビネット、保管キャビネット）は、エンドユーザーまたは中継ノードとして重要である。
【０００３】
コミュニティで一般的に見られるエクスプレスキャビネットを例にとると、ほとんどのキャビネットには、サイズの異なる複数の保存室がキャビネットに直接設置され、各保存室は保存室を閉じるためのドアが設けられている。配送担当者は、物品のサイズに応じて適切な保管キャビティを選択し、アプリケーションまたは他の方法を使用して対応するドアを開いて物品を入れる。物品を受け取る人は、対応するピックアップコードまたはアプリケーションに従って保管された物品のドアを開いて、物品を取り出す。
【０００４】
上記の従来のキャビネット構造は比較的操作が簡単であるが、まだいくつかの問題が残っている。キャビネットの収納キャビティの仕様は異なるが、各仕様は一定である。つまり、キャビネットグリッドのスペースは固定されており、サイズ調整はできない。また、特定の物品の仕様に対して、キャビネットの保管キャビティの数は限られており、いつもあるのが保証できない。これは、流通スタッフにとって、配達作業ができなくなるという大きな問題を引き起こす。さらに、インテリジェントな配達設備では、さらなる大きな問題が生じる。また、従来の保管室の仕様は固定されているため、大容量の保管室を使用して小容量のアイテムを配置し、キャビネット全体の保管効率を非常に低くすることがよくある。
【考案の概要】
【考案が解決しようとする課題】
【０００５】
従来技術に存在する技術的な問題に鑑みて、本考案は、簡単な構造、便利な操作、および最適化された保存容量を有する空間可変システムキャビネットを提供することである。
【課題を解決するための手段】
【０００６】
上記の課題を解決するために、本考案は以下の技術的な考案を提供する。
空間可変システムキャビネットであって、キャビネット本体と制御部材とを備え、前記キャビネット本体には、物品を収容するための２つの収容空間が設けられ、各収容空間には、少なくとも１つの扉部材が設けられ、前記扉部材には、扉部材ロック部材が設けられ、隣接する前記収容空間の間にパーティションが設けられ、前記パーティションにより、隣接する収容空間を独立な空間に分割し、各収容空間には、パーティションを固定およびロックするためのパーティションロック部材が設けられ、制御部材によって、隣接する２つ以上の収容空間の扉部材ロック部材が同時に開かれ、パーティションロック部材のロックが解除され、且つパーティションを操作すると、隣接する２つ以上の収容空間は連通状態となる空間可変システムキャビネット。
【０００７】
本発明のさらなる改良として、前記収容空間の内側壁に、パーティションを掛合するための掛け部材が設けられ、隣接する収容空間が連通された後、前記パーティションが掛け部材に掛合される。
【０００８】
本発明のさらなる改良として、前記パーティションは、折り畳み式構造またはローラーカーテン式構造であり、前記パーティションの一端は、収容空間の内側壁に固定され、他端は、パーティションロック部材によってロックされ、制御部材により、パーティションロック部材が開いた状態では、隣接する収容空間が連通される状態になるように、前記パーティションが折り畳まれる。
【０００９】
本発明のさらなる改良として、前記パーティションの折り畳みは、駆動部材によって駆動される。
【００１０】
本発明のさらなる改良として、前記パーティションは、複数のプレートがヒンジにより結合されたヒンジ接続構造であり、前記パーティションの一端は、収容空間の内側壁に固定され、他端は、パーティションロック部材によりロックされ、制御部材により、パーティションロック部材が開いた状態では、ヒンジ点を利用して、隣接する収容空間が連通状態となるように、前記パーティションが折り畳まれる。
【００１１】
本発明のさらなる改良として、前記扉部材ロック部材が電磁ロック式または機械ロック式である。
【００１２】
本発明のさらなる改良として、前記扉部材ロック部材は、ロックコアとロックバックルとを備え、前記ロックコアと前記ロックバックルとは、それぞれ、扉部材またはキャビネット本体に対応して取り付けられ、前記ロックコアは、伸縮式構造を採用し、ロックコアは、キャビネット本体または扉部材に取り付けられ、制御部材により、伸縮運動を行い、ロックバックルと協働してロックまたは開放を行う。
【００１３】
本発明のさらなる改良として、前記パーティションロック部材は、磁ロック式、機械ロック式、または手動で連接されるアセンブリ構造である。
【００１４】
本発明のさらなる改良として、隣接する前記収容空間は、水平方向に沿って順次設置され、複数のパーティションが垂直方向に沿って設置され、隣接する前記収容空間を分割する、または、隣接する前記収容空間は、垂直方向に沿って設置され、複数のパーティションが水平方向に沿って設置され、隣接する前記収容空間を分割させ、且つ物品の載置板として機能する。
【００１５】
本発明のさらなる改良として、前記制御部材は、キャビネット本体に直接設けられる、または、前記制御部材は、遠距離制御またはクラウド制御方式を採用して、パーティションロック部材および扉部材ロック部材を制御する。
【００１６】
従来技術と比較して、本考案は以下の利点を有する。本考案の空間可変システムキャビネットは、簡単な構造、便利な操作という特徴を有する。キャビネット本体には、隣接する収容空間は、パーティションに対する操作によって、連通または分割されることができる。これによって、保存空間の変化が実現され、適切な保存空間を使用してボリュームに対するアイテムを配置できるため、保存容量が大幅に最適化され、実際の保管要件が満たされ、保管効率を向上させることができる。同時に、本考案のキャビネット本体は、様々な場面および環境にも適用することができ、適用範囲は非常に広い。
【図面の簡単な説明】
【００１７】
【図１】本考案の具体的な応用例の構造概念図である。
【図２】具体的な応用例において単一の扉部材が開いた状態での構造概念図である。
【図３】具体的な応用例において単一の扉部材および隣接する２つの扉部材が同時に開いた状態での構造概念図である。
【図４】具体的な応用例において複数の扉部材が同時に開いた状態の構造概念図である。
【図５】具体的な応用例において複数の扉部材が同時に開いており、且つパーティションを取り外した状態の構造概念図である。
【図６】具体的な応用例においてパーティションが折り畳み式構造である場合の模式図である。
【図７】具体的な応用例においてパーティションが折り畳み式構造であり、且つ単一の扉部材が開いた状態の模式図である。
【図８】具体的な応用例においてパーティションが折り畳み式構造であり、且つ隣接する２つの扉部材が開いた状態の模式図である。
【図９】具体的な応用例においてパーティションが折り畳み式構造であり、且つパーティションが折り畳まれた状態の模式図である。
【図１０】図７のＡにおける部分拡大概略図である。
【図１１】具体的な応用例においてパーティションが折り畳み式構造であり、且つ自動的に折り畳まれた状態の模式図である。
【図１２】具体的な応用例においてパーティションが折り畳み式構造であり、且つ自動的に折り畳まれ、単一の扉部材が開いた状態の模式図である。
【図１３】具体的な応用例においてパーティションが折り畳み式構造であり、且つパーティションが折り畳まれた状態の模式図である。
【図１４】図１３Ｂにおける部分拡大概略図である。
【図１５】具体的な応用例においてパーティションとパーティションロック部材との配合を示す模式図である。
【図１６】具体的な応用例においてパーティションが分離式に設計された状態の模式図である。
【図１７】具体的な応用例においてパーティションが片側懸架構造を採用する場合の模式図である。
【符号の説明】
【００１８】
１、パーティションロック部材；２、パーティション；３、扉部材；４、キャビネット本体；４０１、収容空間；４０２、掛け部材；５、扉部材ロック部材；６、電動伸縮ロッド；７、制御部材；８、駆動部材。
【考案を実施するための形態】
【００１９】
以下、明細書の図面および具体的な実施形態を参照しながら、本考案の詳細を説明する。
【００２０】
図１〜図５に示すように、本考案の空間可変システムキャビネットは、キャビネット本体４と制御部材７とを備え、キャビネット本体４には、物品を収容するための２つ以上収容空間４０１が設けられ、各収容空間４０１には、少なくとも１つの扉部材３が設けられる。扉部材３には、扉部材ロック部材５が設けられ、当該扉部材ロック部材５がロック状態にある時、扉部材３によって、収容空間４０１が閉じられる。扉部材ロック部材５が開いた状態にある時、扉部材３が開かれ、収容空間４０１が開いた状態となり、収容空間４０１より物品を取り出すまたは取り入れることができる。隣接する収容空間４０１の間に、パーティション２が設けられ、パーティション２により、隣接する収容空間４０１が独立な空間に分割されることができる。各収容空間４０１には、パーティション２を固定およびロックするためのパーティションロック部材１が設けられている。制御部材７によって、隣接する２つ以上の収容空間４０１の扉部材ロック部材５を同時に開くことができ、隣接する２つの扉部材３が同時に開かれ、パーティションロック部材１のロックが解除されると、当該隣接する２つの収容空間４０１は連通状態となり、必要に応じて物品の保管空間を変えることができる。
【００２１】
具体的な応用例では、収容空間４０１の開口方向は、実際の需要に応じて選択することができる。例えば、壁から離れた方向に向いたり、上方または下方に向いたりすることができる。これによって、物流車両や無人機などの取り出し機能付きの機構と協働することができる。
【００２２】
具体的な応用例では、連通可能な隣接する収容空間４０１が水平方向に沿って順次配置され、複数のパーティション２が垂直方向に沿うように配置され、収容空間４０１を分割する。また、具体的な応用例では、連通可能な隣接する収容空間４０１は、垂直方向に沿って配置され、複数のパーティション２が水平方向に沿って配置されることで、収容空間４０１を分割し、同時に物品の載置板として機能する。
【００２３】
図５、図９および図１４に示すように、具体的な応用例では、収容空間４０１の内側壁に、パーティション２を掛合するための掛け部材４０２が設けられている。これによって、隣接する収容空間４０１が連通された後、パーティション２が掛け部材４０２に掛合され、パーティション２は連通を妨げない。単一の収容空間４０１が必要な場合、パーティション２は、掛け部材４０２から取り外されて、パーティションロック部材１にロックされる。これによって、隣接する収容空間４０１が独立した閉じたキャビティを形成する。
【００２４】
図６〜図１０に示すように、具体的な応用例では、パーティション２は、ブラインドのような折り畳み構造またはローラーカーテンのような柔軟な構造である。パーティション２の一端は、収容空間４０１の内側壁に固定され、他端は、パーティションロック部材１によってロックされる。制御部材７によって、パーティションロック部材１が開いた状態では、パーティション２が折り畳まれることができ、これによって、隣接する収容空間４０１が連通する状態となる。
【００２５】
パーティション２の折り畳みは手動で行うことができる。好ましい実施形態では、図１１〜図１５に示すように、駆動部材８（例えば、駆動モーター）と、電動伸縮ロッド６とを設けても良い。制御部材７によって、駆動部材８および電動伸縮ロッド６は、折り畳みまたは開放動作を行うように、パーティション２を駆動することができる。
【００２６】
図１６に示すように、具体的な応用例では、パーティション２は、中央分離構造を採用し、パーティション２の中央部はロックされ、ロック解除後に２つパーツに分離され、且つ隣接する収容空間４０１が連通された状態を確保するために自動的に下げられる。
【００２７】
図１７に示すように、具体的な応用例では、パーティション２は、端部吊り下げ構造を採用し、パーティション２の端部がロックされ、ロック解除後に隣接する収容空間４０１が連通された状態を確保するために自動的に下げられる。
【００２８】
具体的な応用例では、パーティション２は、ヒンジ接続構造を採用し、パーティション２の一端が収容空間４０１の内側壁に固定され、他端は、パーティションロック部材１によりロックされる。制御部材７によって、パーティションロック部材１が開いた状態では、ヒンジ点を介して、パーティション２が折り畳まれることができる。これによって、隣接する収容空間４０１が連通される状態となる。
【００２９】
具体的な応用例では、パーティションロック部材１と扉部材ロック部材５とを連動する方式を採用し、すなわち、隣接する扉部材ロック部材５が開かれたと、パーティションロック部材１も同時に開ける。一方で、隣接する扉部材ロック部材５がロックされると、パーティションロック部材１も同時にロックされる。なお、パーティションロック部材１と扉部材ロック部材５とは、独立して制御することができ、すなわち、パーティションロック部材１と扉部材ロック部材５とは独立して制御する必要がある。
【００３０】
実際の需要に応じて、パーティションロック部材１と扉部材ロック部材５の両方は、制御部材７によって制御することができ、また、扉部材ロック部材５が御部材７により制御されるが、パーティションロック部材１は手動で制御する。
【００３１】
本実施形態では、制御部材７は、キャビネット本体４に直接取り付けられ、他の実施形態では、制御部材７は、遠距離制御またはクラウド制御方式を採用することができる。この場合、キャビネット本体４に無線制御モジュールを取り付け、無線制御モジュールとキャビネット本体４外に設けられた制御部材７とが接続されることで、パーティションロック部材１と扉部材ロック部材５とを制御することができる。
【００３２】
具体的な応用では、実際の需要に応じて、扉部材ロック部材５は、電磁ロック式または機械ロック式である。本実施形態では、ロックコアは、伸縮構造を採用し、ロックコアはキャビネット本体４または扉部材３に取り付けられている。制御部材７によって、ロックコアは、伸縮運動を行い、ロックバックルと協働してロックまたは開放を行うことができる。ロックバックルは、実際の需要に応じて、扉部材３またはキャビネット本体４に取り付けられることができる。
【００３３】
具体的な応用例では、すべての収容空間４０１の容積を同じにすることができる。これによって、規格化の層を形成することができる。また、収容空間４０１の容積を異なる仕様にしてもよく、異なる規格の容積にすることによって、隣接する収容空間４０１が組み合わせたキャビティは、異なる需要にて適合することができ、異なる物品に対する実際の空間の需要を満たすことができる。
【００３４】
なお、実際の需要に応じて、システムキャビネットの一部の隣接する収容空間４０１に、本考案の連通式を採用し、他の部分に固定容積式を採用する。これらの形態も、本考案の範囲に含まれている。
【００３５】
本考案の空間可変システムキャビネットは、配達、物流、倉庫などの分野において、配達箱または物流箱として広く使用することができる。なお、本考案は、固定式または車両に設置することができる。本考案は、適切な保存キャビティを使用して、その容積に対応するアイテムを可能な限り最大限に配置することができ、保存容量を大幅に最適化し、実際の保存要件を満たし、保存効率を改善することができる。
【００３６】
本考案を配達キャビネットとして説明する。使用中、配達員は、物品のサイズに応じて必要な収容空間を選択することができる。物品のサイズに対して、１つの規格な収容空間４０１が必要の場合、制御パネルまたはスマートフォンのアプリケーションによって、収容空間４０１の扉部材３を開くことができる。物品のサイズは、２つ以上の規格な収容空間４０１の容積が必要の場合、制御パネルまたはスマートフォンのアプリケーションによって、同時に隣接する複数の収容空間４０１の扉部材３を開けた後、パーティション２を閉じることで、複数の収容空間４０１の連通を完了させることができる。物品の受取人が物品を取り出した後、パーティション２を元の位置に戻した後、ロックさせることで、各収容空間４０１が独立した空間として復元することができる。
【００３７】
以上、本考案の好ましい実施形態を説明したが、本考案は、上記実施形態に限定されない。本考案の技術的な思想により得られる他の実施形態も本考案の請求の範囲に属する。また、当業者にとっては、本考案の原理から逸脱することのない改良および変更は、本考案の保護範囲とみなされるべきである。
【図１】
0003228672.tif 000003
【図２】
0003228672.tif 000004
【図３】
0003228672.tif 000005
【図４】
0003228672.tif 000006
【図５】
0003228672.tif 000007
【図６】
0003228672.tif 000008
【図７】
0003228672.tif 000009
【図８】
0003228672.tif 000010
【図９】
0003228672.tif 000011
【図１０】
0003228672.tif 000012
【図１１】
0003228672.tif 000013
【図１２】
0003228672.tif 000014
【図１３】
0003228672.tif 000015
【図１４】
0003228672.tif 000016
【図１５】
0003228672.tif 000017
【図１６】
0003228672.tif 000018
【図１７】
0003228672.tif 000019